(57)【要約】【課題】有機ＥＬ素子を予め設定された輝度で発光させる。【解決手段】データドライバ１４は、各行の選択期間中、データ線Ｌd(1)〜Ｌd(m)に原階調電圧Ｖdata(1)〜Ｖdata(m)の信号を出力した後、階調電流Ｉdata(1)〜Ｉdata(m)をデータ線Ｌd(1)〜Ｌd(m)に出力するようにする。制御部１５は、データドライバ１４に切り替え制御信号Ｃsw(V)又はＣsw(I)を供給する。切り替え制御信号Ｃsw(V)が供給されと、電圧出力部３５(i)が出力した原階調電圧Ｖdata(i)がデータ線Ｌd(i)に出力されて、電圧書き込み方式に従って電圧書き込みが行われる。切り替え制御信号Ｃsw(I)が供給されと、電流出力部３７(i)が出力した階調電流Ｉdata(i)がデータ線Ｌd(i)に出力されて、電流書き込み方式に従って電圧書き込みが行われる。【選択図】図３
2010217788.tif 000002
【特許請求の範囲】
【請求項１】
供給された電流の電流量に対応する輝度で発光する発光素子と、
前記発光素子の一端に電流路が接続され、制御端と前記電流路の一端との間の制御電圧に基づいて前記電流路に流れる電流の電流量を制御しつつ、前記発光素子に電流を供給する駆動トランジスタと、
前記駆動トランジスタの前記制御端と前記電流路の一端との間に接続されて、前記制御電圧を保持するキャパシタと、
前記キャパシタに電圧を書き込む電圧書き込み部と、
前記駆動トランジスタの電流路に電流を供給する電流供給部と、を有するデータドライバを備え、
前記データドライバは、前記キャパシタに書き込む電圧が、前記発光素子を予め設定された輝度で発光させる制御電圧となるように、前記駆動トランジスタの前記電流路の一端に電圧を印加してから、前記電流供給部が前記駆動トランジスタの電流路に電流を供給する、
ことを特徴とする電子機器。
【請求項２】
前記発光素子と、前記駆動トランジスタと、前記キャパシタと、を画素毎に備えるとともに、前記画素を選択する画素選択部を備え、
前記データドライバは、各画素の前記キャパシタに書き込む電圧が、前記画像データの階調度に対応する輝度で前記発光素子を発光させる制御電圧となるように、前記画素選択部が選択した画素の前記駆動トランジスタの前記電流路の一端に、電圧を印加してから、前記電流供給部が前記トランジスタの電流路に電流を供給する、
ことを特徴とする請求項１に記載の電子機器。
【請求項３】
前記データドライバは、
前記画素毎に、前記画像データの階調度を、前記階調度に対応する電圧値の電圧信号に変換する電圧信号変換部と、
前記画素毎に、前記画像データの階調度を、前記階調度に対応する電流値の電流信号に変換する電流信号変換部と、を備え、
前記画素選択部が選択した画素に、前記電圧信号変換部が変換した前記電圧信号の電圧を、前記画素選択部が選択した画素の前記駆動トランジスタの前記電流路の一端に印加してから、前記電流供給部が前記トランジスタの電流路に電流を供給する、
ことを特徴とする請求項２に記載の電子機器。
【請求項４】
前記データドライバは、
前記電流信号変換部が変換した電流信号の電流を、前記駆動トランジスタの前記電流路に供給したときの出力電圧を計測する電圧計測部と、
前記電圧計測部が計測した電圧値に基づいて、前記駆動トランジスタの特性シフト量を取得する特性シフト量取得部と、
前記特性シフト量取得部が取得した前記シフト量に基づいて前記電圧信号変換部が変換した前記電圧信号の電圧を補正する電圧補正部と、を備えた、
ことを特徴とする請求項３に記載の電子機器。
【請求項５】
前記データドライバは、前記電圧信号変換部が変換した電圧信号又は前記電流信号変換部が変換した電流信号の出力を切り替える信号切り替え部を備え、
前記電圧書き込み部の前記電圧信号変換部が変換した電圧信号を出力して前記駆動トランジスタの前記電流路の一端に電圧を印加する電圧印加期間と、前記電流信号変換部が変換した電流信号を前記駆動トランジスタの前記電流路に供給する電流供給期間との比率を設定して、前記信号切り替え部を制御する制御部を備えた、
ことを特徴とする請求項３又は４に記載の電子機器。
【請求項６】
前記制御部は、前記画像データの階調度に基づいて前記電圧印加期間と前記電流供給期間との比率を設定する、
ことを特徴とする請求項５に記載の電子機器。
【請求項７】
前記制御部は、前記画像データの行毎に前記階調度の代表値を取得し、取得した前記代表値に基づいて前記電圧印加期間と前記電流供給期間との比率を設定する、
ことを特徴とする請求項６に記載の電子機器。
【請求項８】
前記制御部は、前記画像データの１フレームの各階調度の代表値を取得し、取得した代表値に基づいて、前記電圧印加期間と前記電流供給期間との比率を設定する、
ことを特徴とする請求項６に記載の電子機器。
【請求項９】
前記制御部に可変ビットレートで圧縮された映像信号が入力され、前記映像信号のビットレートもしくは圧縮率が予め設定された値未満のときに前記電圧印加期間と前記電流供給期間との比率を設定し、予め設定された値以上のときは、前記電圧印加期間のみとするように前記切り替え制御部を制御する、
ことを特徴とする請求項５乃至８のいずれか１項に記載の電子機器。
【請求項１０】
前記制御部は、前記フレームが切り替わるフレーム周波数が予め設定された値未満のときに前記電圧印加期間と前記電流供給期間との比率を設定し、前記フレーム周波数が予め設定された値以上のときは、前記電圧印加期間のみとするように前記切り替え制御部を制御する、
ことを特徴とする請求項５乃至８のいずれか１項に記載の電子機器。
【請求項１１】
供給された電流の電流量に対応する輝度で発光する発光素子と、
前記発光素子の一端に電流路の一端が接続され、制御端と前記電流路の一端との間の制御電圧に基づいて前記電流路に流れる電流の電流量を制御しつつ、前記発光素子に電流を供給する駆動トランジスタと、
前記駆動トランジスタの前記制御端と前記電流路の一端との間に接続されて、前記制御電圧を保持するキャパシタと、を備えた電子機器の駆動方法であって、
前記駆動トランジスタの前記電流路の一端に電圧を印加するステップと、
前記駆動トランジスタの前記電流路の一端に電圧を印加してから、前記キャパシタに書き込む電圧が、前記発光素子を予め設定された輝度で発光させる制御電圧となるように、前記駆動トランジスタの前記電流路に電流を供給するステップと、を備えたことを特徴とする電子機器の駆動方法。
【発明の詳細な説明】
【技術分野】
【０００１】
本発明は、電子機器及び電子機器の駆動方法に関するものである。
【背景技術】
【０００２】
有機ＥＬパネル（Organic Electro-Luminescent Panel）は蛍光性の有機化合物に直流電圧をかけて発光させるものであり、次世代ディスプレイデバイスとして注目されており、画素として、有機ＥＬ素子をマトリクス配置された電子機器としての表示装置がある。
【０００３】
この有機ＥＬ素子は、電流駆動素子であり、流れる電流に比例した輝度で発光する。このような有機ＥＬ素子を備えたアクティブマトリクス駆動表示装置は、各画素に、電界効果トランジスタ（薄膜トランジスタ）によって構成された駆動トランジスタを備え、駆動トランジスタは、有機ＥＬ素子に供給する電流の電流値を制御する。
【０００４】
また、駆動トランジスタのゲート−ソース間にキャパシタが接続され、このキャパシタに、外部から供給された画像データの階調度に対応する電圧がキャパシタに書き込まれ、キャパシタは、この電圧を保持する。
【０００５】
そして、駆動トランジスタは、ドレイン−ソース間に電圧が印加されると、キャパシタが保持した電圧をゲート−ソース間電圧（以後、「ゲート電圧」と記す。）Ｖgsとして、このゲート電圧Ｖgsで電流値を制御しつつ、有機ＥＬ素子に電流を供給する。有機ＥＬ素子は、供給された電流量に対応する輝度で発光し、表示装置は、画像を表示する。
【０００６】
このキャパシタに電圧を書き込む方式としては、画像の階調度に対応させて、駆動トランジスタのゲート−ソース間に、指定された電圧を印加する電圧書き込み方式がある（例えば、特許文献１参照）。
【先行技術文献】
【特許文献】
【０００７】
【特許文献１】特開平０５−０７４５６９号公報
【発明の概要】
【発明が解決しようとする課題】
【０００８】
しかし電圧書き込み方式では、キャパシタに電圧を書き込む期間は短くて済むものの、アモルファスシリコン等の駆動トランジスタでは、閾値電圧Ｖthが経時的にシフトするため、この閾値電圧Ｖthのシフト量に対応する補正を行わなければならない。また特にポリシリコンの駆動トランジスタにおいてはレーザーアニール起因の移動度のバラツキに対する補正を行わなければならない。
【０００９】
即ち、電圧書き込み方式では、キャパシタに電圧を書き込む期間は短くて済むものの、駆動トランジスタの閾値電圧Ｖthが経時的にシフトするため、この閾値電圧Ｖthのシフト量に対応する補正を行わなければならない。
【００１０】
一方、画像の階調度に対応する電流値の電流を駆動トランジスタに流し、この電流値と実質的に等しい電流を有機ＥＬ素子に流して発光する電流書き込み方式では、電流値が駆動トランジスタの閾値電圧Ｖthシフトおよび移動度のばらつきからなる特性シフトにも影響されず、閾値電圧Ｖthの各画素間でのばらつきにも影響されない。
【００１１】
しかし、この電流書き込み方式では、特に、低階調度画像の場合、つまり書き込み電流値が小さい場合、電流値が小さいが故に単位時間あたりに移動できる電荷量が小さいため、一定の期間内に駆動トランジスタに流れる電流が画像データの階調度に対応する所望の電流値に到達することができなくなる。したがって、有機ＥＬ素子を予め設定された輝度（階調度）で発光させることができなくなる。
【００１２】
本発明は、このような従来の問題点に鑑みてなされたもので、発光素子を予め設定された輝度で発光させることが可能な電子機器及び電子機器の駆動方法を提供することを目的とする。
【課題を解決するための手段】
【００１３】
この目的を達成するため、本発明の第１の観点に係る電子機器は、
供給された電流の電流量に対応する輝度で発光する発光素子と、
前記発光素子の一端に電流路が接続され、制御端と前記電流路の一端との間の制御電圧に基づいて前記電流路に流れる電流の電流量を制御しつつ、前記発光素子に電流を供給する駆動トランジスタと、
前記駆動トランジスタの前記制御端と前記電流路の一端との間に接続されて、前記制御電圧を保持するキャパシタと、
前記キャパシタに電圧を書き込む電圧書き込み部と、
前記駆動トランジスタの電流路に電流を供給する電流供給部と、を有するデータドライバを備え、
前記データドライバは、前記キャパシタに書き込む電圧が、前記発光素子を予め設定された輝度で発光させる制御電圧となるように、前記駆動トランジスタの前記電流路の一端に電圧を印加してから、前記電流供給部が前記駆動トランジスタの電流路に電流を供給することを特徴とする。
【００１４】
前記発光素子と、前記駆動トランジスタと、前記キャパシタと、を画素毎に備えるとともに、前記画素を選択する画素選択部を備え、
前記データドライバは、各画素の前記キャパシタに書き込む電圧が、前記画像データの階調度に対応する輝度で前記発光素子を発光させる制御電圧となるように、前記画素選択部が選択した画素の前記駆動トランジスタの前記電流路の一端に、電圧を印加してから、前記電流供給部が前記トランジスタの電流路に電流を供給するようにしてもよい。
【００１５】
前記データドライバは、
前記画素毎に、前記画像データの階調度を、前記階調度に対応する電圧値の電圧信号に変換する電圧信号変換部と、
前記画素毎に、前記画像データの階調度を、前記階調度に対応する電流値の電流信号に変換する電流信号変換部と、を備え、
前記画素選択部が選択した画素に、前記電圧信号変換部が変換した前記電圧信号の電圧を、前記画素選択部が選択した画素の前記駆動トランジスタの前記電流路の一端に印加してから、前記電流供給部が前記トランジスタの電流路に電流を供給するようにしてもよい。
【００１６】
前記データドライバは、
前記電流信号変換部が変換した電流信号の電流を、前記駆動トランジスタの前記電流路に供給したときの出力電圧を計測する電圧計測部と、
前記電圧計測部が計測した電圧値に基づいて、前記駆動トランジスタの特性シフト量を取得する特性シフト量取得部と、
前記特性シフト量取得部が取得した前記シフト量に基づいて前記電圧信号変換部が変換した前記電圧信号の電圧を補正する電圧補正部と、を備えたものであってもよい。
【００１７】
前記データドライバは、前記電圧信号変換部が変換した電圧信号又は前記電流信号変換部が変換した電流信号の出力を切り替える信号切り替え部を備え、
前記電圧書き込み部の前記電圧信号変換部が変換した電圧信号を出力して前記駆動トランジスタの前記電流路の一端に電圧を印加する電圧印加期間と、前記電流信号変換部が変換した電流信号を前記駆動トランジスタの前記電流路に供給する電流供給期間との比率を設定して、前記信号切り替え部を制御する制御部を備えたものであってもよい。
【００１８】
前記制御部は、前記画像データの階調度に基づいて前記電圧印加期間と前記電流供給期間との比率を設定するようにしてもよい。
【００１９】
前記制御部は、前記画像データの行毎に前記階調度の代表値を取得し、取得した前記代表値に基づいて前記電圧印加期間と前記電流供給期間との比率を設定するようにしてもよい。
【００２０】
前記制御部は、前記画像データの１フレームの各階調度の代表値を取得し、取得した代表値に基づいて、前記電圧印加期間と前記電流供給期間との比率を設定するようにしてもよい。
【００２１】
前記制御部に可変ビットレートで圧縮された映像信号が入力され、前記映像信号のビットレートもしくは圧縮率が予め設定された値未満のときに前記電圧印加期間と前記電流供給期間との比率を設定し、予め設定された値以上のときは、前記電圧印加期間のみとするように前記切り替え制御部を制御するようにしてもよい。
【００２２】
前記制御部は、前記フレームが切り替わるフレーム周波数が予め設定された値未満のときに前記電圧印加期間と前記電流供給期間との比率を設定し、前記フレーム周波数が予め設定された値以上のときは、前記電圧印加期間のみとするように前記切り替え制御部を制御するようにしてもよい。
【００２３】
本発明の第２の観点に係る電子機器の駆動方法は、
供給された電流の電流量に対応する輝度で発光する発光素子と、
前記発光素子の一端に電流路の一端が接続され、制御端と前記電流路の一端との間の制御電圧に基づいて前記電流路に流れる電流の電流量を制御しつつ、前記発光素子に電流を供給する駆動トランジスタと、
前記駆動トランジスタの前記制御端と前記電流路の一端との間に接続されて、前記制御電圧を保持するキャパシタと、を備えた電子機器の駆動方法であって、
前記駆動トランジスタの前記電流路の一端に電圧を印加するステップと、
前記駆動トランジスタの前記電流路の一端に電圧を印加してから、前記キャパシタに書き込む電圧が、前記発光素子を予め設定された輝度で発光させる制御電圧となるように、前記駆動トランジスタの前記電流路に電流を供給するステップと、を備えたことを特徴とする。
【発明の効果】
【００２４】
本発明によれば、駆動トランジスタの閾値電圧シフトや移動度にバラツキがあっても、発光素子を予め設定された輝度で発光させることができる。
【図面の簡単な説明】
【００２５】
【図１】本発明の実施形態１に係る表示装置の構成を示すブロック図である。
【図２】図１に示す各画素回路の構成を示す回路図である。
【図３】図１に示すデータドライバの構成を示すブロック図である。
【図４】図２に示す駆動トランジスタのゲート電圧（ドレイン電圧）と階調電流との関係を示す図である。
【図５】図１に示す表示装置の動作を示すタイミングチャートである。
【図６】図１に示す表示装置の詳細な動作を示すタイミングチャートである。
【図７】本発明の実施形態２として、平均階調と、電圧印加期間に対する電流供給期間の比率と、の関係（ａ）と原階調信号と比率との関係（ｂ）を示す図である。
【図８】原階調信号から比率を取得する具体例を示す図である。
【図９】図８の関係に従って比率を取得した場合の動作を示すタイミングチャートである。
【図１０】本発明の実施形態３として、ビットレートと比率との関係を示す図である。
【図１１】本発明の実施形態４として、フレーム周波数と比率との関係を示す図である。
【図１２】本発明の実施形態５に係る表示装置の動作を示すタイミングチャートである。
【図１３】データドライバの応用例の構成を示すブロック図である。
【発明を実施するための形態】
【００２６】
以下、本発明の実施形態に係る表示装置を図面を参照して説明する。尚、本実施形態では、電子機器を、ＴＦＴ−ＯＬＥＤ（Thin Film Transistor−Organic light-emitting diode)を備えた表示装置として説明する。
（実施形態１）
実施形態１に係る表示装置の構成を図１に示す。
実施形態１に係る表示装置１は、ＴＦＴパネル１１と、スキャンドライバ１２と、アノードドライバ１３と、データドライバ１４と、制御部１５と、を備える。
【００２７】
ＴＦＴパネル１１は、複数の画素回路１１(i,j)（ｉ＝１〜ｍ、ｊ＝１〜ｎ、ｍ；自然数、ｎ；自然数）を備えたものである。
【００２８】
画素回路１１(i,j)は、それぞれ、画像の１画素に対応する回路であり、行列配置される。各画素回路１１(i,j)は、図２に示すように、有機ＥＬ素子ＯＬＥＤと、トランジスタＴ１〜Ｔ３と、キャパシタＣsと、を備える。
【００２９】
有機ＥＬ素子ＯＬＥＤは、供給された電流の電流量に対応する輝度で発光する発光素子であり、画素電極、複数のキャリア輸送層を有する有機ＥＬ層、対向電極が積層された構造を有する。対向電極（カソード電極）には接地電圧ＧＮＤが印加される。
【００３０】
トランジスタＴ１〜Ｔ３は、ｎチャンネル型のＦＥＴ（Field Effect Transistor；電界効果トランジスタ）によって構成された薄膜トランジスタ（ＴＦＴ；Thin Film Transistor）である。これら薄膜トランジスタは、それぞれ電流路である半導体層がアモルファスシリコン単体であるか或いはアモルファスシリコンを含んでいる。
【００３１】
トランジスタＴ３は、有機ＥＬ素子ＯＬＥＤに供給する電流の電流値を制御する駆動トランジスタであり、その制御端としてのゲートがトランジスタＴ１のソース及びキャパシタＣsの一端に接続され、その電流路上端としてのドレインは、アノード線Ｌa(j)に接続され、電流路下端としてのソースがキャパシタＣsの他端及び有機ＥＬ素子ＯＬＥＤのアノードに接続される。
【００３２】
トランジスタＴ１は、キャパシタＣsの一端に信号Ｖanode (i)の電圧を印加するためのトランジスタである。
【００３３】
画素回路１１(i,j)では、トランジスタＴ１のソースは、トランジスタＴ３のゲート及びキャパシタＣsの一端に接続されている。画素回路１１(i,1)，・・・，１１(i,n)のトランジスタＴ１のドレインは、それぞれ、データ線Ｌd(i)に接続される。
【００３４】
画素回路１１(1,j)，・・・，１１(m,j)の各トランジスタＴ１のゲートは、それぞれ、走査線Ｌs(j)に接続される。そして、それぞれ、走査線Ｌs(1)，・・・，Ｌs(n)にＨｉｇｈレベル（オンレベル）の信号Ｖselect(j)が出力されると、画素回路１１(1,j)，・・・，１１(m,j)の各トランジスタＴ１及びトランジスタＴ２はオンし、制御部１５が出力した原階調信号Ｖdata(1)，・・・，Ｖdata(m)に基づいた電圧信号及び電流信号にしたがった電荷をキャパシタＣsの両端間に蓄積する。その後、トランジスタＴ３は、キャパシタＣsに蓄積された電荷にしたがった電流値の電流を有機ＥＬ素子ＯＬＥＤに流して、有機ＥＬ素子ＯＬＥＤはこの電流値にしたがった輝度で発光する。
【００３５】
画素回路１１(1,1)の場合、スキャンドライバ１２から走査線Ｌs(1)にＨｉｇｈレベルの信号が出力されると、トランジスタＴ１及びトランジスタＴ２はオンし、次いで走査線Ｌs(1)にＬｏｗレベル（オフレベルＶscan OFF）の信号が出力されると、トランジスタＴ１はオフし、トランジスタＴ２もオフするとともに、キャパシタＣsに充電された電荷は保持される。
【００３６】
トランジスタＴ２は、スキャンドライバ１２によって選択されてオン、オフし、アノードドライバ１３とデータドライバ１４との間を導通、遮断するためのスイッチトランジスタである。
【００３７】
各画素回路１１(i,j)のトランジスタＴ２のドレインは、トランジスタＴ３のソースに接続され、ソースは、データ線Ｌd(1)〜Ｌd(m)に接続される。
【００３８】
各画素回路１１(1,1)〜１１(m,1)のトランジスタＴ２のゲートは、第１行目の走査線Ｌs(1)に接続される。同様に、各画素回路１１(1,2)〜１１(m,2)のトランジスタＴ２のゲートは、第２行目の走査線Ｌs(2)に、・・・、各画素回路１１(1,n)〜１１(m,n)のトランジスタＴ２のゲートは、第ｎ行目の走査線Ｌs(n)に接続される。
【００３９】
また、各画素回路１１(1,1)〜１１(1,n)のトランジスタＴ２の他端としてのソースは、第１列目のデータ線Ｌd(１)に接続される。同様に、各画素回路１１(2,1)〜１１(2,n)のトランジスタＴ２のソースは、第２列目のデータ線Ｌd(2)に、・・・、各画素回路１１(m,1)〜１１(m,n)のトランジスタＴ２のソースは、第ｍ列目のデータ線Ｌd(m)に接続される。尚、データ線Ｌd(1)〜Ｌd(m)は、それぞれ、入出力端子Ｄ（１）〜Ｄ（ｍ）に接続されている。
【００４０】
また、走査線Ｌs(1)にＬｏｗレベルの信号が出力されると、トランジスタＴ２はオフしてトランジスタＴ３のソースとデータ線Ｌd(1)とを遮断する。
【００４１】
キャパシタＣsは、補助容量を有するものであり、トランジスタＴ３のゲート−ソース間に接続される。キャパシタＣsは、トランジスタＴ１及びＴ２がオフすると、トランジスタＴ３のゲート電圧Ｖgsを保持する。
【００４２】
図１に戻り、スキャンドライバ１２は、制御部１５から垂直同期信号Ｖsyncが供給され、供給された垂直同期信号に従って、第ｊ行の画素回路１１(1,j)〜１１(m,j)を選択するドライバである。
【００４３】
スキャンドライバ１２は、行を選択するためのオンレベル（Ｖscan ON）の信号Ｖscan(1)〜Ｖscan(n)を、順次、走査線Ｌs(1)，・・・，Ｌs(n)に出力することにより、第１行目の画素回路１１(1,1)〜１１(m,1)、・・・、第ｎ行目の画素回路１１(1,n)〜１１(m,n)を順次選択する。
【００４４】
アノードドライバ１３は、各画素回路(i,j)のトランジスタＴ３のドレインに電圧を出力するドライバである。
【００４５】
アノードドライバ１３は、制御部１５から垂直同期信号Ｖsyncが供給され、供給され垂直同期信号に従って、アノード線Ｌa(1)〜Ｌa(n)に、それぞれ、ハイレベルの電圧ＶanodeH又はローレベルの電圧ＶanodeLの信号Ｖanode(1)〜Ｖanode(n)を出力する。
【００４６】
尚、本実施形態１では、電圧ＶanodeHが、例えば、＋１５Ｖに設定され、電圧ＶanodeLが接地電位に設定されるものとする。
【００４７】
データドライバ１４は、制御部１５から、画像データの階調度に対応する電圧値の電圧として、順次、第１行目〜第ｎ行目のデジタルデータの原階調信号Ｖdata(1)〜Ｖdata(m)が供給され、補正したアナログ階調信号Ｖdata_analog(1)〜Ｖdata_analog(m)の電圧で、それぞれ、画素回路１１(1,1)〜１１(1,m)，・・・，１１(1,n)〜１１(m,n)のキャパシタＣsに電荷を書き込むドライバである。
【００４８】
また、データドライバ１４は、制御部１５から、クロック信号DotCLK，水平同期信号Ｈsyncが供給され、供給されたこれらの同期信号に従って、動作する。
【００４９】
データドライバ１４は、図３に示すように、シフトレジスタ２１と、ブロック２２(1)〜２２(m)を有する。
【００５０】
シフトレジスタ２１は、制御部１５から供給された原階調信号Ｖdata(1)〜Ｖdata(m)のデジタルデータを、順次、シフトし、各ブロック２２(1)〜２２(m)に、それぞれ、原階調信号Ｖdata(1)〜Ｖdata(m)のデジタルデータを供給するものである。
【００５１】
ブロック２２(i)（ｉ＝１〜ｍ）は、それぞれ、メモリ３１(i)と、Ｄ／Ａ変換器３２(i)，３３(i)と、電圧加算器３４(i)と、電圧出力部３５(i)と、Ｄ／Ａ変換器３６(i)と、電流出力部３７(i)と、切り替えスイッチＳw(i)と、切り替え制御部３８(i)と、電圧計３９(i)と、特性シフト取得部４０(i)と、を備える。
【００５２】
電圧出力部３５(i)は、原階調信号Ｖdata(i)及びメモリ３１(i)に記憶されたデータに基づいて電圧加算器３４(i)で加算された電圧値の電圧信号Vdata_analog(i)をデータ線Ｌd(i)に供給することによって選択された画素回路１１(i,j)のキャパシタＣsに階調に従った電荷を蓄積させる。
【００５３】
この電圧書き込み方式は、データドライバ１４の電圧出力部３５(i)が出力したアナログ階調信号Ｖdata_analog(i)を、選択された画素回路１１(i,j)のトランジスタＴ３のソースに印加することにより、この画素回路１１(i,j)のキャパシタＣsに電圧（電荷）を書き込む書き込み方式である。
【００５４】
電圧出力部３５(i)は十分な電荷供給能力を有するため、電圧出力部３５（ｉ）から出力されるアナログ階調信号Ｖdata_analog(i)は、速やかに階調に従った電荷をキャパシタＣsに蓄積できる。しかし、このような電圧書き込み方式に従って、選択された画素回路１１(i,j)に電圧を書き込む場合には、画素回路１１(i,j)毎に、トランジスタＴ３の特性シフトに対応する補正が必要である。
【００５５】
図４は、データ線Ｌd(i)に電圧−Ｖaのアナログ階調信号Ｖdata_analog(i)を出力して、トランジスタＴ３のゲート−ソース間電位ＶgsをＶaにしたときのトランジスタＴ３のドレイン−ソース間に流れる電流の電流値Ｉを示す図であり、初期特性ではしきい値実線ＶＩの挙動を示し、経時的にトランジスタＴ３のしきい値が変位した特性ではトランジスタＴ３の閾値電圧ＶthがΔＶthだけシフトする破線ＶＩ’の挙動を示す。
【００５６】
このため、トランジスタＴ３のゲート−ソース間電位ＶgsがＶaの場合、初期時に電流値Ｉaであったにもかかわらず、シフト後では電流値Ｉb（＜Ｉa）と減小してしまう。
換言すれば、シフト後に同じ電流値Ｉaにするためには、シフト後にトランジスタＴ３のゲート−ソース間電位Ｖgsを電圧（Ｖa＋ΔＶth）にしなければならない。同様に移動度のバラツキも補正しなければならない。
【００５７】
メモリ３１(i)は、このトランジスタＴ３の閾値電圧Ｖthのシフト量ΔＶthと移動度のバラツキとを含む特性シフトを、画素回路１１(i,j)毎に記憶するものである。
【００５８】
Ｄ／Ａ変換器３２(i)は、シフトレジスタ２１から供給された原階調信号Ｖdata(i)のデジタルデータを、電圧信号としてのアナログ信号Vdata_analog(i)に変換するものである。
【００５９】
Ｄ／Ａ変換器３３(i)は、メモリ３１(i)から画素回路１１(i,j)の特性シフト量を読み出して、このシフト量のデジタルデータをアナログ信号に変換するものである。
【００６０】
電圧加算器３４(i)は、Ｄ／Ａ変換器３２(i)，３３(i)がそれぞれ変換した変換した原階調信号Ｖdata(i)のアナログ信号と特性シフト量のアナログ信号とを加算することにより、原階調信号Ｖdata(i)を補正するものである。図２に示す画素回路１１(i,j)において、図５に示されるように、書き込み時にはアノード線La(j)はＶanodeLに設定され、したがって、トランジスタＴ３のゲート−ソース間電位Ｖgsに所望の電圧Ｖdata_analog(i)を書き込むためには、データ線Ｌｄ（ｉ）にはＶanodeL-Ｖdata_analog(i)が出力される。例えばＶanodeLが接地電圧であるとき、アナログ階調信号Ｖdata_analog(i)は、負電圧になる。
【００６１】
電圧出力部３５(i)は、電圧加算器３４(i)が補正した新たなアナログ階調信号Ｖdata_analog(i)を出力するものである。
【００６２】
Ｄ／Ａ変換器３６(i)は、デジタル階調の原階調信号Ｖdata(i)の階調bit数に基づいた電流値の階調電流Ｉdata(i)を生成する回路であり、電流出力部３７(i)は、Ｄ／Ａ変換器３６(i)で生成された階調電流を出力する回路である。
【００６３】
このような電流書き込み方式では、電流出力部３７(i)が出力した階調電流Ｉdata(i)を、選択された画素回路１１(i,j)のトランジスタＴ３のゲートーソース間、つまりキャパシタＣsに階調に従った電荷を書き込むことができる。
【００６４】
このようにトランジスタＴ３がしきい値シフトしているかどうかにかかわらず、強制的にトランジスタＴ３のドレイン−ソース間に階調電流Ｉdata(i)を流すことによって階調に従った電荷をキャパシタＣsに正確に書き込むことができる。同様に移動度に対しても階調に従った電荷をキャパシタＣｓに正確に書き込むことが可能である。
【００６５】
切り替えスイッチＳw(i)は、選択期間の前半に、電圧出力部３５(i)とデータ線Ｌd(i)とを導通させ、原階調信号Ｖdata(i)及びメモリ３１(i)に記憶されたデータに基づいて電圧出力部３５(i)が出力した電圧値の電圧信号をデータ線Ｌd(i)に供給し、選択期間の後半に、電流出力部３７(i)とデータ線Ｌd(i)とを導通させ、階調電流Ｉdata(i)をデータ線Ｌd(i)及びトランジスタＴ３のドレイン−ソース間に流すよう切り替えるスイッチである。
【００６６】
切り替えスイッチＳw(i)は、切り替え制御部３８(i)に制御されて、電圧出力部３５(i)とデータ線Ｌd(i)の接続と、電流出力部３７(i)とデータ線Ｌd(i)との接続と、を選択的に切り替える。
【００６７】
切り替え制御部３８(i)は、制御部１５から切り替え制御信号Ｃswが供給され、供給された制御信号Ｃswに従って切り替えスイッチＳw(i)の切り替えを制御するものである。
【００６８】
切り替え制御部３８(i)は、制御部１５から切り替え制御信号Ｃswとして、切り替え制御信号Ｃsw(V)が供給されると、電圧出力部３５(i)とデータ線Ｌd(i)とが接続されるように、切り替えスイッチＳw(i)を制御する。
【００６９】
切り替え制御部３８(i)は、制御部１５から切り替え制御信号Ｃswとして、切り替え制御信号Ｃsw(I)が供給されると、電流出力部３７(i)とデータ線Ｌd(i)とが接続されるように、切り替えスイッチＳw(i)を制御する。
【００７０】
電圧計３９(i)と特性シフト取得部４０(i)とは、トランジスタＴ３の閾値電圧のシフトと、移動度の基準値からのシフトとを含む特性シフト量を取得するための回路である。
【００７１】
電圧計３９(i)は、各画素回路１１のトランジスタＴ３の特性シフト量を算出するためにデータ線Ｌd(i)の電位を読み取る回路であり、切り替えスイッチＳw(i)によって電流出力部３７(i)とデータ線Ｌd(i)とが接続されて、電流出力部３７(i)が所定の階調の電流値の階調電流Ｉdata(i)を供給したときに、電流出力部３７(i)の出力電圧Ｖi_out(i)を計測するものである。
【００７２】
ここでは単純化のため移動度のシフトはないとすると、電流書き込み方式では、画像の階調度に対応した階調電流Ｉdata(i)を指定してトランジスタＴ３のソースに階調電流Ｉdata(i)を供給する方式であるため、トランジスタＴ３のしきい値シフトしていれば、電流出力部３７(i)が階調電流Ｉdata(i)を供給したときの電圧計３９(i)で計測される出力電圧Ｖi_out(i)は、このとき当該画素回路１１に印加されるＶanodeLが接地電位である場合、例えば図４に示すように、−（Ｖa＋ΔＶth）になる。ここでΔＶthは、トランジスタＴ３の劣化にしたがって変位する関数であり、また、初期状態のトランジスタＴ３の個体差の面内特性ばらつきによる電圧ずれ（平均値との差）を含んでいてもよい。
【００７３】
このため、閾値電圧Ｖthのシフト量ΔＶthは、階調電流Ｉdata(i)と計測した電圧とに基づいて、図４に示す関係から求められる。つまり、特性シフト取得部４０(i)が、図４に示す電圧−電流特性のテーブルを参照して、電圧出力部３５(i)からの出力によって階調電流Ｉdata(i)に等しい電流値の電流をデータ線Ｌd(i)に流すために、不足分であるΔＶthに相当するデータを自動的に算出する。特性シフト取得部４０(i)では、電圧計３９(i)で計測された出力電圧Ｖi_out(i)を、データ線Ｌd(i)の電圧と等しくみなし、トランジスタＴ３のゲート−ソース電位と設定されているか、或いは出力電圧Ｖi_out(i)からデータ線Ｌd(i)等の抵抗による電圧降下分を減算した電圧をトランジスタＴ３のゲート−ソース電位と設定する。
【００７４】
実際には閾値電圧Ｖthのシフト量ΔＶthと同時に、想定される移動度と実際の移動度のシフト量Δαも補正される。
【００７５】
特性シフト取得部４０(i)は、階調電流Ｉdata(i)と電圧計３９(i)が計測した出力電圧Ｖi_out(i)とに基づいて、テーブルから画素回路１１毎に、特性シフト量を演算により取得し、取得した特性シフト量をデジタル変換したデータをメモリ３１(i)に書き込む。
【００７６】
制御部１５は、制御信号をスキャンドライバ１２、アノードドライバ１３、データドライバ１４に供給することにより、これらの各ドライバを制御する。
【００７７】
制御部１５は、制御信号として、クロック信号DotCLK，垂直同期信号Ｖsync，水平同期信号Ｈsync等の同期信号が外部から供給され、この各同期信号をスキャンドライバ１２、アノードドライバ１３、データドライバ１４に供給する。
【００７８】
また、制御部１５は、外部から、画素回路１１(1,1)〜１１(m,1)，・・・，１１(1,n)〜１１(m,n)の各原階調信号Ｖdata(1)〜Ｖdata(m)のデジタルデータが供給され、行毎にこの原階調信号Ｖdata(i)をデータドライバ１４に供給する。
【００７９】
また、制御部１５は、制御信号として、切り替え制御信号Ｃswをデータドライバ１４に供給する。
【００８０】
制御部１５は、この切り替え制御信号Ｃswをデータドライバ１４に供給することにより、切り替え制御部３８(i)、切り替えスイッチＳw(i)を制御する。
【００８１】
制御部１５は、電圧書き込み方式によりキャパシタＣsに蓄積される電荷を、階調に従った所望の電荷に近づけるため、切り替え制御信号Ｃsw(V)をデータドライバ１４に供給し、電圧出力部３５(i)が電圧信号をデータ線Ｌd(i)に供給する。
【００８２】
制御部１５は、電圧出力部３５(i)がデータ線Ｌd(i)に供給した電圧信号によってトランジスタＴ３のドレイン−ソース間を流れる電流が階調に従った電流値に近づいた後、電流出力部３７(i)がデータ線Ｌd(i)に電流信号を供給してトランジスタＴ３のドレイン−ソース間を流れる電流が電流信号の電流値となるようにするために、切り替え制御信号Ｃsw(I)をデータドライバ１４に供給する。
【００８３】
制御部１５は、この切り替え制御信号Ｃswの切り替えタイミングを設定することにより、電圧書き込み方式を用いて電圧を書き込む期間と電流書き込み方式を用いて電圧を書き込む期間との比率を設定する。
【００８４】
選択期間（オンレベルの信号Ｖscanが供給されている間）中、この電圧書き込み方式を用いてキャパシタＣsに電圧（電荷）を書き込む期間を電圧印加期間Ｔvとし、電流書き込み方式を用いてキャパシタＣsに電圧（電荷）を書き込む期間を電流供給期間Ｔaとする。
【００８５】
この電圧印加期間Ｔvと電流供給期間Ｔaとの比率を適正に設定することにより、画素回路１１(i,j)のトランジスタＴ３の特性がシフトしても、トランジスタＴ３のドレイン−ソース間に精度よく、階調にしたがった電流値の電流を流すような電荷をキャパシタＣsに書き込むことができる。
【００８６】
また、電流書き込みの場合、書き込み完了に時間がかかってしまう低階調度画像データであっても、本発明では電圧出力部３５(i)が供給したアナログ階調信号Ｖdata_analog(i)により速やかに電荷を蓄積でき、所望の電圧に近づけることができ、最終的に電流出力部３７(i)がデータ線Ｌd(i)に階調にしたがった電流値の電流信号を流して、選択期間内に精度よく階調にしたがった電流値の電流を流し、有機ＥＬ素子ＯＬＥＤは階調に従った輝度で発光する。尚、実施形態１では、この電圧印加期間Ｔvと電流供給期間Ｔaとを予め設定し、この比率を一定とする。
【００８７】
次に実施形態１に係る表示装置１の動作を説明する。
図５に示すように、制御部１５は、時刻ｔ１０において、クロック信号DotCLK，垂直同期信号Ｖsync，水平同期信号Ｈsync等の同期信号をスキャンドライバ１２、アノードドライバ１３、データドライバ１４に供給する。
【００８８】
スキャンドライバ１２、アノードドライバ１３、データドライバ１４は、それぞれ、供給された同期信号に同期して動作を開始する。
【００８９】
スキャンドライバ１２は、時刻ｔ１０〜ｔ１２，ｔ１２〜ｔ１４，・・・，ｔ１５〜ｔ１７において、それぞれ、オンレベルＶscan ONの走査線信号Ｖscan(1)〜Ｖscan(n)を走査線Ｌs(1)〜Ｌs(n)にそれぞれ出力する。
【００９０】
時刻ｔ１０〜ｔ１２，ｔ１２〜ｔ１４，・・・，ｔ１５〜ｔ１７は、それぞれ、画素回路１１(1,1)〜１１(m,1)の選択期間Ｔsel(1)、画素回路１１(1,2)〜１１(m,2)の選択期間Ｔsel(2)、・・・、画素回路１１(1,n)〜１１(m,n)の選択期間Ｔsel(n)となる。
【００９１】
アノードドライバ１３は、第１行目の画素回路１１(1,1)〜１１(m,1)の選択期間である時刻ｔ１０〜ｔ１２において、それぞれ、ローレベルの電圧ＶanodeLのアノード電圧信号Ｖanode(1)を、アノード線Ｌa(1)に出力し、ハイレベルの電圧ＶanodeHのアノード電圧信号Ｖanode(2)〜Ｖanode(n)をそれぞれアノード線Ｌa(2)〜Ｌa(n)に出力する。
【００９２】
時刻ｔ１０において、スキャンドライバ１２は、オンレベルＶscan ONの走査線信号Ｖscan(1)を走査線Ｌs(1)〜Ｌs(n)に出力し、オフレベルＶscan OFFの走査線信号Ｖscan(2)〜Ｖscan(n)をそれぞれ走査線Ｌs(2)〜Ｌs(n)に出力し、第１行目の画素回路１１(1,1)〜１１(m,1)が選択される。
【００９３】
制御部１５は、第１行目の画素回路１１(1,1)〜１１(m,1)にそれぞれ対応した画像データである各原階調信号Ｖdata(1)〜Ｖdata(m)を、順次、データドライバ１４に供給する。
【００９４】
原階調信号Ｖdata(1)〜Ｖdata(m)は、データドライバ１４のシフトレジスタ２１に供給される。
【００９５】
シフトレジスタ２１は、制御部１５から、順次、供給された原階調信号Ｖdata(1)〜Ｖdata(m)のデジタルデータをシフトして、それぞれ、ブロック２２(1)〜２２(m)に供給する。
【００９６】
ブロック２２(i)に供給された原階調信号Ｖdata(i)は、Ｄ／Ａ変換器３２(i)とＤ／Ａ変換器３６(i)とに供給される。
【００９７】
Ｄ／Ａ変換器３２(i)は、シフトレジスタ２１から供給された原階調信号Ｖdata(i)のデジタルデータを、アナログ信号に変換する。
【００９８】
Ｄ／Ａ変換器３３(i)は、メモリ３１(1)から、以前特性シフト取得部４０(i)によって記録された第１行目の画素回路１１(i,1)の特性シフト量のデジタルデータを読み出して特性シフト補正後の電圧値に相当するアナログ信号に変換し、変換したアナログ信号を電圧加算部３４(i)に供給する。
【００９９】
電圧加算器３４(i)は、Ｄ／Ａ変換器３２(i)，３３(i)がそれぞれアナログ変換した原階調信号Ｖdata(i)と特性シフト量とを加算して、特性シフト補正された負電圧のアナログ階調信号Ｖdata_analog(i)を生成する。
【０１００】
一方、Ｄ／Ａ変換器３６(i)は、シフトレジスタ２１から供給された原階調信号Ｖdata(1)の階調値に基づいた電流値の階調電流Ｉdata(1)を生成する。
【０１０１】
選択期間Ｔsel(1)の前半である時刻ｔ１０〜ｔ１１が電圧印加期間Ｔvであり、制御部１５は、この電圧印加期間Ｔvにおいて、データドライバ１４の各ブロック２２(1)〜２２(m)の切り替え制御部３８(1)〜３８(m)に切り替え制御信号Ｃsw(V)を供給する。
【０１０２】
ブロック２２(i)の切り替え制御部３８(i)は、切り替え制御信号Ｃsw(V)が供給されて、電圧出力部３５(i)とデータ線Ｌd(i)とが接続されるように、切り替えスイッチＳw(i)を制御する。
【０１０３】
電圧出力部３５(i)とデータ線Ｌd(i)とが接続されると、電圧出力部３５(i)は、電圧加算器３４(i)で生成された負電圧のアナログ階調信号Ｖdata_analog(i)を、スイッチＳw(i)を介してデータ線Ｌd(i)に出力し、画素回路１１(i,1)のトランジスタＴ３のソースに印加する。
【０１０４】
階調電圧信号にしたがった電流値の電流が画素回路１１(1,1)のトランジスタＴ３のドレイン−ソース、トランジスタＴ２のドレイン−ソース、データ線Ｌd(1)を介して、電圧出力部３５(i)へと流れようとして徐々に電流値が大きくなるとともに、画素回路１１(1,1)のキャパシタＣsには、電流値に応じた電荷が充電される。
【０１０５】
選択期間Ｔsel(1)の後半である時刻ｔ１１〜ｔ１２が電流供給期間Ｔaであり、制御部１５は、この電流供給期間Ｔaにおいて、データドライバ１４の各ブロック２２(1)〜２２(m)の切り替え制御部３８(1)〜３８(m)に切り替え制御信号Ｃsw(I)を供給する。
【０１０６】
ブロック２２(i)の切り替え制御部３８(i)は、切り替え制御信号Ｃsw(I)が供給されて、電流出力部３７(i)とデータ線Ｌd(i)とが接続されるように、切り替えスイッチＳw(i)を制御する。
【０１０７】
電流出力部３７(i)とデータ線Ｌd(i)とが接続されると、電流出力部３７(i)は、Ｄ／Ａ変換器３６(i)が変換した階調電流Ｉdata(i)を、データ線Ｌd(i)を介して画素回路１１(i,1)のトランジスタＴ３のドレイン−ソース間に流させる。
【０１０８】
図６（ａ）に示すように、選択期間Ｔsel(1)の前半、電圧印加期間Ｔvにおいては、原階調信号Ｖdata(i)をアナログ変換した電圧に前選択期間に取り込まれた特性シフト量に相当する電圧が加算されたアナログ階調信号Ｖdata_analog(i)が出力される。電圧出力部３５(i)は十分な電荷供給能力があるため、トランジスタＴ３のＶgsは急速にアナログ階調信号Ｖdata_analog(i)の電圧に近づく。しかしながら各信号線の抵抗の影響や、演算精度の制約のため、電圧信号では正確な補正信号の電圧（電荷）をトランジスタＴ３のゲート−ソース間およびキャパシタＣsに書き込むことが困難である。
【０１０９】
そこで、選択期間Ｔsel(1)の後半において、電流供給期間Ｔaを設けて階調電流Ｉdata(1)を流すことによって、正確にトランジスタＴ３のゲート−ソース間及びキャパシタＣsに所望の輝度で発光素子を発光させる電流で書き込みが行われるため、特性シフトに関わりなく、ゲート電圧Ｖgsは、原階調信号Ｖdata(i)の階調に対応するゲート電圧Ｖgs2となる。
【０１１０】
一方、階調度が低い場合、電流出力部３７(1)からの電流信号のみでは、図６（ｂ）の破線で示すように、選択期間Ｔselに相当する時刻ｔ３０〜ｔ３２の間に、トランジスタＴ３のゲート−ソース間及びキャパシタＣsに階調に応じた電荷を十分に蓄積できない。
【０１１１】
電荷を蓄積できなければ、トランジスタＴ３のゲート−ソース間電圧Ｖgsは、階調電流Ｉdata(1)に応じた電圧Ｖgs4に達することができず、電圧Ｖgs3（＜電圧Ｖgs4）となってしまい、書き込み不足となってしまう。
【０１１２】
このため、電圧印加期間Ｔvに、補正された負電圧のアナログ階調信号Ｖdata_analog(i)が印加されて速やかにトランジスタＴ３のゲート−ソース間及びキャパシタＣsの電荷が階調電流Ｉdata(1)に相当する電圧Ｖgs4に近づいているので、その後、電流供給期間Ｔaにおいて、電流出力部３７(1)からの電流信号の電流値が小さくても階調電流Ｉdata(1)になるために蓄積すべき電荷量が少なく済むので、時刻ｔ３２に達するまでには、トランジスタＴ３のゲート−ソース間の電圧Ｖgsが電圧Ｖgs4になり、トランジスタＴ３のドレイン−ソース間には、階調電流Ｉdata(1)になっている。
【０１１３】
そして、この電流供給期間Ｔaにおいて、電圧計３９(1)は、電流出力部３７(1)の出力電圧Ｖi_out(1)を計測し、特性シフト取得部４０(1)は、階調電流Ｉdata(1)と電圧計３９(1)が計測した出力電圧Ｖi_out(1)とに基づいて、図４に示す関係から画素回路１１(i,1)の特性シフト量を演算する。
【０１１４】
特性シフト取得部４０(1)は、演算により取得した画素回路１１(1,1)の特性シフト量をデジタルデータに変換し、このデータをメモリ３１(1)に記憶する。
【０１１５】
このようにして、第１行目の画素回路１１(1,1)〜１１(m,1)の選択期間Ｔsel(1)が終了すると、スキャンドライバ１２は、順次、選択期間Ｔsel(2)、・・・、選択期間Ｔsel(n)において、画素回路１１(1,2)〜１１(m,2)、・・・、画素回路１１(1,n)〜１１(m,n)を選択し、各キャパシタＣsに階調電流Ｉdata(1)〜階調電流Ｉdata(m)に対応する電圧（電荷）を書き込む。
【０１１６】
なお、アノードドライバ１３は、各行においてＶscan ONを印加している間、ローレベルの電圧ＶanodeL（≦有機ＥＬ素子ＯＬＥＤのカソード電位）を出力し、階調電流Ｉdata(1)〜階調電流Ｉdata(m)がそれぞれ有機ＥＬ素子ＯＬＥＤに流れないように設定し、各行においてアノードドライバ１３がＶscan OFFを印加している間、ハイレベルの電圧ＶanodeH（＞有機ＥＬ素子ＯＬＥＤのカソード電位）を出力し、有機ＥＬ素子ＯＬＥＤに、階調電流Ｉdata(1)〜階調電流Ｉdata(m)と実質的に等しい電流を流す。
【０１１７】
各画素回路１１(1,1)〜１１(m,1)，・・・，１１(1,n)〜１１(m,n)の有機ＥＬ素子ＯＬＥＤは、供給された電流の電流値に対応する輝度で発光する。各行、この選択期間Ｔsel以外の期間が、有機ＥＬ素子ＯＬＥＤを発光させる発光期間Ｔradとなる。尚、画素回路１１(1,1)〜１１(m,1)，・・・，１１(1,n)〜１１(m,n)の有機ＥＬ素子ＯＬＥＤの発光期間Ｔradを、それぞれ、発光期間Ｔrad(1)〜Ｔrad(n)とする。
【０１１８】
以上説明したように、本実施形態１によれば、データドライバ１４は、各行の選択期間中、データ線Ｌd(1)〜Ｌd(m)にアナログ階調電圧信号Ｖdata_analog(1)〜Ｖdata_analog(m)を出力した後、階調電流Ｉdata(1)〜Ｉdata(m)をデータ線Ｌd(1)〜Ｌd(m)に出力するようにした。
【０１１９】
従って、電流信号のみによる電荷の書き込み不足を解消して、有機ＥＬ素子を予め設定された輝度で発光させることができる。また、簡便な補正により、均一な表示かつ書き込み不足を解消することができる。
【０１２０】
（実施形態２）
実施形態２に係る表示装置は、画像データの階調度に基づいて電圧印加期間に対する電流供給期間の比率を設定するようにしたものである。
【０１２１】
制御部１５は、記憶部（図示せず）を備え、記憶部は、図７（ａ）に示すような画素回路１１(i,j)（ｉ＝１〜ｍ、ｊ＝１〜ｎ）の原階調信号Ｖdata(i)を記憶する。
【０１２２】
制御部１５は、行毎に又はフレーム毎に原階調信号Ｖdata(i)の代表値を求める。尚、代表値とは、分布すなわちグループを代表する値，グループの中心位置の値であり、代表値には、最頻度値、中央値、平均値がある。
【０１２３】
実施形態２では、代表値として平均値を用い、制御部１５は、原階調信号Ｖdata(1)〜Ｖdata(m)の行毎の平均値Ｖav_line(1)〜Ｖav_line(n)とフレームの平均値Ｖav_frameとを求める。
【０１２４】
また、電圧印加期間Ｔvに対する電流供給期間Ｔaの比率を比率αとして、制御部１５の記憶部は、図７（ｂ）に示すような原階調信号Ｖdataと比率αとの関係を予め記憶する。
【０１２５】
この図７（ｂ）に示すように、原階調信号Ｖdataの輝度階調が高い（高輝度）場合、階調電流Ｉdataの電流値も大きくなるため、電流書き込み方式でキャパシタＣsに電荷を書き込んでもキャパシタＣsは短い時間で充電され、電圧印加期間Ｔvは長くとも良い。
【０１２６】
一方、原階調信号Ｖdataの輝度階調が低い（低輝度）場合、階調電流Ｉdataの電流値は小さくなるため、電流書き込み方式でキャパシタＣsに電圧（電荷）を書き込もうとすると、キャパシタＣsを充電するのに時間を要するので、電圧印加期間Ｔvが短い方が好ましい。
【０１２７】
従って、原階調信号Ｖdataと比率αとの関係は、原階調信号Ｖdataが高くなるほど、比率αが小さくなるように設定される。制御部１５は、この図７（ｂ）の関係に従って、求めた平均値Ｖav_line(1)〜Ｖav_line(n)から、行毎に比率αを取得する。
【０１２８】
次に実施形態２に係る表示装置１の動作を説明する。
尚、ここでは、平均値を第１行目の原階調信号Ｖdata(1)〜Ｖdata(m)の平均値Ｖav_line(1)として、画素回路１１(1,1)を例に説明する。
【０１２９】
制御部１５は、第１行目の原階調信号Ｖdata(1)〜Ｖdata(m)の平均値Ｖav_line(1)を求める。この平均値Ｖav_line(1)を電圧Ｖav1とすると、図８に示す関係から、α＝α１を取得する。またデータ線Ｌd(i)毎に原階調信号Ｖdata(i)に応じて切り替え制御部３８(i)を制御し、αをデータ線Ｌd(i)毎に独立に変更してもよい。
【０１３０】
図９（ａ）に示すように、原階調信号Ｖdata(1)に対応するアナログ階調信号Ｖdata_analog(1)が画素回路１１(1,1)に供給されたときのトランジスタＴ３のゲート電圧ＶgsをＶgs5として、α＝α１の場合、制御部１５は、時刻ｔ４０において、切り替え制御信号Ｃsw(V)をデータドライバ１４に供給する。
【０１３１】
スイッチＳw(1)が、電圧出力部３５(1)とデータ線Ｌd(1)とを接続すると、電圧印加期間Ｔvが開始し、電圧出力部３５(1)が出力したアナログ階調信号Ｖdata_analog(1)で、キャパシタＣsに電圧書き込みが行われ、電圧印加期間Ｔvに対する電流供給期間Ｔaの比率α１にしたがった時刻ｔ４１に電圧印加期間Ｔvが終了する。
【０１３２】
時刻ｔ４１になって、電圧印加期間Ｔvが終了すると、制御部１５は、切り替え制御信号Ｃsw(I)をデータドライバ１４に供給する。
【０１３３】
スイッチＳw(1)が、電流出力部３７(1)とデータ線Ｌd(1)とを接続すると、時刻ｔ４１に電流供給期間Ｔaが開始し、電流出力部３７(1)が供給した階調電流Ｉdata(1)で、キャパシタＣsに電圧（電荷）が書き込まれ、時刻ｔ４２まで電流供給期間Ｔaが続く。
【０１３４】
このとき、選択期間Ｔsel(1)のうち、電圧印加期間Ｔv及び電流供給期間Ｔaの割合、つまり時刻ｔ４１のタイミングは、電圧印加期間Ｔvに対する電流供給期間Ｔaの比率α１によって自動的に設定される。
【０１３５】
補正されたアナログ階調信号Ｖdata_analog(1)が印加されたときのゲート−ソース電圧間Ｖgsが、配線抵抗等の影響で、真のシフト量が補正された電圧とは異なる電圧Ｖgs5までしか達しなかったとしても、時刻ｔ４１において、トランジスタＴ３のソースに電流値ａ３の階調電流Ｉdata(1)が供給されて、階調電流値ａ３で充電されることになる。
【０１３６】
そして、時刻ｔ４２において、ゲート−ソース間電圧Ｖgsは、真のシフト量が補正された電圧Ｖgs6まで到達し、キャパシタＣsに電圧Ｖgs6が書き込まれる。
【０１３７】
次に、図８に示すように、平均値Ｖav1が平均値Ｖav2になった場合、制御部１５は、この関係に従い、α＝α２を取得する。この場合、平均値Ｖav2が平均値Ｖav1よりも低く、階調度が低いことを示している。従って、α＝α２の場合、図９（ｂ）に示すように、図９（ａ）の場合（α＝α１）と比較して、電流供給期間Ｔaは長くなる。
【０１３８】
画素回路１１(1,1)の原階調信号Ｖdata(1)に対する補正されたアナログ階調信号Ｖdata_analog(1)の電圧をＶgs7として、α＝α２の場合、制御部１５は、時刻ｔ５０において、切り替え制御信号Ｃsw(V)をデータドライバ１４に供給する。
【０１３９】
スイッチＳw(1)が、電圧出力部３５(1)とデータ線Ｌd(1)とを接続すると、電圧印加期間Ｔvが開始し、電圧出力部３５(1)が出力したアナログ階調信号Ｖdata_analog(1)で、キャパシタＣsに電圧書き込みが行われる。
【０１４０】
時刻ｔ５１になって、電圧印加期間Ｔvが終了すると、制御部１５は、切り替え制御信号Ｃsw(I)をデータドライバ１４に供給する。
【０１４１】
スイッチＳw(1)が、電流出力部３７(1)とデータ線Ｌd(1)とを接続すると、電流供給期間Ｔaが開始し、電流出力部３７(1)が供給した階調電流Ｉdata(1)で、キャパシタＣsに電荷が書き込まれる。
【０１４２】
補正されたアナログ階調信号Ｖdata_analog(1)が印加されたときのゲート−ソース電圧間Ｖgsが、配線抵抗等の影響で、真のシフト量が補正された電圧とは異なる電圧Ｖgs7までしか達しなかったとしても、時刻ｔ５１において、トランジスタＴ３のソースに電流値ａ３の階調電流Ｉdata(1)が供給される。
【０１４３】
そして、時刻ｔ５２において、ゲート電圧Ｖgsは真のシフト量が補正された電圧Ｖgs8まで上昇し、キャパシタＣsに電圧Ｖgs8が書き込まれる。
【０１４４】
このように、図９（ａ）の場合（α＝α１）と比較して、電流供給期間Ｔaが長くなり、低輝度階調データが入力されても、確実に電流印加によって、トランジスタＴ３のゲート−ソース間電圧Ｖgsを真のシフト量が補正された電圧に設定することが可能となる。
【０１４５】
以上説明したように、本実施形態２によれば、制御部１５は、電圧印加期間Ｔvに対する電流供給期間Ｔaの比率を、画素の輝度若しくは画像データの階調度に基づいて設定するようにした。
【０１４６】
従って、階調にかかわらず、より確実に有機ＥＬ素子ＯＬＥＤを所望の輝度で発光させることができる。
【０１４７】
（実施形態３）
本実施形態では、ＭＰＥＧ-2、ＭＰＥＧ-4等の可変ビットレート圧縮された映像ソースの瞬間または平均ビットレートまたは圧縮率に応じてαを可変し、具体的には、平均ビットレートが大きい場合、αを大きくし、電圧書き込み主体で動画追随性を重視する映像に設定し、平均ビットレートが小さい場合、αを小さくし、電流書き込み主体で階調画質重視の映像に設定する。
【０１４８】
実施形態３に係る表示装置は、制御部１５へ外部から供給されるＭＰＥＧ−２あるいはＭＰＥＧ−４等の可変ビットレート圧縮された映像ソースの瞬間または平均ビットレートまたは圧縮率に基づいて、電圧印加期間Ｔvに対する電流供給期間Ｔaの比率を設定、または電圧印加期間のみとするものである。
【０１４９】
映像ソースのビットレートが大きい場合は映像が大きく変化するため、細緻な階調表示を肉眼で認識できなくなるので、電流書き込みによってトランジスタＴ３のゲート−ソース間電圧Ｖgsを正確なシフト値を含む電圧に収束させなくともよい。
【０１５０】
したがって電圧書込期間のみでも良い。逆に映像ソースのビットレートが小さい場合は映像が大きく変化しないため、細緻な階調表示を認識することができるので、電流書き込みによってトランジスタＴ３のゲート−ソース間電圧Ｖgsを正確なシフト値を含む電圧に収束させる必要がある。
【０１５１】
そこで、実施形態３では、図１０に示すように、ビットレートをＲbitとして、このビットレートＲbitが予め設定された値Ｒbit_th以上のときは、電圧印加期間のみ、即ち、α＝０とする。また、値Ｒbit_th未満のときは、比率α＝ｋ（ｋ≠０）と設定する、即ち、電圧印加期間Ｔvと電流供給期間Ｔaとを設けるものとする。
【０１５２】
ｉ＝１，ｊ＝１として、具体的に、制御部１５は、ビットレートＲbitが値Ｒbit_th以上のときは、切り替え信号Ｃsw(V)をデータドライバ１４に供給し続ける。このため、電圧出力部３５(1)とデータ線Ｌd(1)とは、接続されたままとなり、電圧書き込み方式のみに従って、キャパシタＣsに電圧が書き込まれる。
【０１５３】
ビットレートＲbitが値Ｒbit_th未満になったときは、実施形態１、２で説明したように、制御部１５は、比率αを０ではない値に設定して切り替え信号Ｃsw(V)又はＣsw(I)をデータドライバ１４に供給して、電圧出力部３５(1)からの階調電圧信号出力の後、電流出力部３７(1)からの階調電流信号の出力によりトランジスタＴ３のドレイン−ソース間に所望の電流値の階調電流Ｉdata(1)を流す。さらにＲbitが０のとき、つまり映像ソースとして静止画が入力される時、制御部はCsw(I)をＯＮで固定し電流書き込みのみを行っても良い。
【０１５４】
尚、電圧計３９(1)は、電流供給期間Ｔaにおいて、電流出力部３７(1)の出力電圧Ｖi_out(1)を計測する。
【０１５５】
また、特性シフト取得部４０(1)は、階調電流Ｉdata(1)と電圧計３９(1)が計測した出力電圧Ｖi_out(1)とに基づいて、図４に示す関係から特性シフト量を演算し、演算した特性シフト量をデジタル変換したデータをメモリ３１(1)に記憶する。
【０１５６】
そして、次の電圧印加期間Ｔvにおいて、データドライバ１４の電圧出力部３５(1)は、原階調信号Ｖdata(1)をデジタル変換した階調電圧信号にこの特性シフト量を加えて補正された階調電圧信号を出力する。
【０１５７】
このように、ビットレートＲbitに基づいて、電圧印加期間Ｔvのみとしたり、電圧印加期間Ｔvに対する電流供給期間Ｔaの比率αを設定したりすることによって、映像の種類（動きの激しい動画と静止画の双方）に対応させて原階調信号Ｖdata(1)を補正しつつ、キャパシタＣsに電荷を書き込むことができる。
【０１５８】
（実施形態４）
実施形態４に係る表示装置は、動画において、動画のフレーム周波数に基づいて電圧印加期間のみのフレームとしたり、電圧印加期間Ｔvに対する電流供給期間Ｔaの比率を設定したフレームとしたりするようにしたものである。
【０１５９】
動画は、静止画を１フレームとし、複数の前記フレームを切り替えることによって構成されたものである。
【０１６０】
表示装置１では、動画特性を向上させる場合に、通常のテレビジョンよりもフレーム周波数を高めるようにしたものがある。
【０１６１】
このフレームを切り替えるときのフレーム周波数が一定値（１２０Ｈｚ）以上になった場合に、選択期間Ｔselが短くなり、電流供給期間Ｔaがあると、低階調時にトランジスタＴ３のゲート−ソース間に十分な電荷を書き込めず、トランジスタＴ３のドレイン−ソース間に流れる電流が所望の階調電流Ｉdataの電流値にならない。
【０１６２】
そこで、実施形態４では、図１１に示すように、フレーム周波数をｆ_frameとして、このフレーム周波数ｆ_frameが予め設定された周波数ｆ_frame_th以上のときは、電圧印加期間Ｔvのみ、即ち、α＝０とする。また、周波数ｆ_frame_th未満のときは、比率αを０でない値ｋに設定する。即ち、電圧印加期間Ｔvと電流供給期間Ｔaとを設けるものとする。
【０１６３】
ｉ＝１，ｊ＝１として、具体的に、制御部１５は、フレーム周波数ｆ_frameが周波数ｆ_frame_th以上のときは、切り替え信号Ｃsw(V)をデータドライバ１４に供給し続ける。このため、電圧出力部３５(1)とデータ線Ｌd(1)とは、接続されたままとなり、電圧書き込み方式のみに従って、選択期間Ｔsel(1)内にトランジスタＴ３のゲート−ソース間に階調電圧信号−（Vdata_analog(1)）が印加され、トランジスタＴ３のドレイン−ソース間に、原階調信号Ｖdata(1)にしたがった所望の電流値の電流が流れる。
【０１６４】
フレーム周波数ｆ_frameが周波数ｆ_frame_th未満になったときは、実施形態１、２で説明したように、制御部１５は、比率αを０ではない値ｋに設定して切り替え信号Ｃsw(V)又はＣsw(I)をデータドライバ１４に供給して、電圧出力部３５(1)からのアナログ階調信号Ｖdata_analog(i)を出力した後、電流出力部３７(1)からの階調電流信号の出力によりトランジスタＴ３のドレイン−ソース間に所望の電流値の階調電流Ｉdata(1)を流す。
【０１６５】
尚、実施形態３と同様、電圧計３９(1)は、電流供給期間Ｔaにおいて、電流出力部３７(1)の出力電圧Ｖi_out(1)を計測し、特性シフト取得部４０(1)は、特性シフト量を演算してメモリ３１(1)に記憶する。
【０１６６】
そして、次の電圧印加期間Ｔvにおいて、データドライバ１４の電圧出力部３５(1)は、このシフト量を用いて補正されたアナログ階調信号Ｖdata_analog(1)を出力する。
【０１６７】
このように、フレーム周波数ｆ_frameに基づいて、電圧印加期間Ｔvのみとしたり、電圧印加期間Ｔvに対する電流供給期間Ｔaの比率αを設定したりすることによって、フレーム周波数ｆ_frameに対応させて原階調信号Ｖdata(1)を補正しつつ、キャパシタＣsに電荷を書き込むことができる。
【０１６８】
（実施形態５）
実施形態５に係る表示装置は、動画において、電流供給期間を有するフレームを一定の比率で挿入するようにしたものである。
【０１６９】
実施形態４と同様に、電流書き込み方式の場合、フレーム周波数がある一定値以上になってしまうと、選択期間Ｔselが短くなり、電流供給期間Ｔaがあると、低階調時にトランジスタＴ３のゲート−ソース間のキャパシタＣsに十分な電荷を書き込めず、トランジスタＴ３のドレイン−ソース間に流れる電流が所望の階調電流Ｉdataの電流値にならない。
【０１７０】
このため、実施形態５では、複数の電圧印加期間Ｔvのみのフレームの間に、電圧印加期間Ｔvに対する電流供給期間Ｔaの比率αを設定したフレームを挿入するようにした。
【０１７１】
具体的には、図１２に示すように、Ｆrame(1)〜Ｆrame(z+1)は、それぞれ、静止画を示し、Ｆrame(1)〜Ｆrame(z-1)，Ｆrame(z+1)は、電圧印加期間Ｔvのみのフレームを示す。また、Ｆrame(z)は、電圧印加期間Ｔvに対する電流供給期間Ｔaの比率αを設定したフレームを示し、Ｆrame(z)は、Ｆrame(z-1)とＦrame(z+1)との間に挿入される。尚、図１２は、第ｑ行の場合のみを示す。
【０１７２】
制御部１５は、Ｆrame(1)〜Ｆrame(z-1)，Ｆrame(z+1)において、切り替え制御信号Ｃsw(V)をデータドライバ１４に供給する。このため、Ｆrame(1)〜Ｆrame(z-1)，Ｆrame(z+1)では、電圧出力部３５(1)とデータ線Ｌd(1)とが接続され、電圧書き込み方式に従って、キャパシタＣsに電圧が書き込まれる。
【０１７３】
制御部１５は、Ｆrame(z)の電流供給期間Ｔaにおいて、データドライバ１４に切り替え制御信号Ｃsw(I)を供給する。このため、Ｆrame(z)の電流供給期間Ｔaでは、電流書き込み方式に従って、キャパシタＣsに電圧が書き込まれる。
【０１７４】
電圧計３９(1)は、この電流供給期間Ｔaにおいて、電流出力部３７(1)の出力電圧Ｖi_out(1)を計測し、特性シフト取得部４０(1)は、特性シフト量を演算してメモリ３１(1)に記憶する。
【０１７５】
そして、次の電圧印加期間Ｔvにおいて、データドライバ１４の電圧出力部３５(1)は、この特性シフト量を用いて補正されたアナログ階調信号Ｖdata_analog(1)を出力する。
【０１７６】
Ｆrame(z)の次のＦrame(z+1)では、この補正された原階調信号Ｖdata(1)に対応する電圧が、電圧書き込み方式に従ってキャパシタＣsに書き込まれる。
【０１７７】
このように、複数の電圧印加期間ＴvのみのＦrame(z-1)とＦrame(z+1)との間に、電圧印加期間Ｔvに対する電流供給期間Ｔaの比率αを設定したＦrame(z)を挿入するようにしたので、フレーム周波数がある一定値以上になっても、原階調信号Ｖdata(1)を補正しつつ、キャパシタＣsに電圧を書き込むことができる。
【０１７８】
尚、本発明を実施するにあたっては、種々の形態が考えられ、上記各実施形態に限られるものではない。
例えば、データドライバ１４のブロック２２(i)は、図３に示すようなＤ／Ａ変換器３２(i)，３３(i)と、電圧加算器３４(i)を備える代わりに、図１３に示すようなデジタル加算器４１(i)とＤ／Ａ変換器４２(i)とを備えるようにしてもよい。
【０１７９】
デジタル加算器４１(i)は、シフトレジスタ２１から供給された所定の階調のbitデータを含む原階調信号Ｖdata(i)と、メモリ３１(i)から読み出した画素回路１１(i,j)の特性シフト量のデジタルデータを、デジタルデータのまま加算するものである。
【０１８０】
Ｄ／Ａ変換器４２(i)は、デジタル加算器４１(i)で加算されることによって特性シフトを補正した階調信号を負電圧のアナログ階調電圧信号Ｖdata_analog(i)に変換するものである。
【０１８１】
このように、デジタル加算器４１(i)とＤ／Ａ変換器４２(i)とを備えることにより、Ｄ／Ａ変換器を１つ削減することができ、回路を簡略化することができる。
【０１８２】
上記実施形態１〜５では、表示装置１をＴＦＴ−ＯＬＥＤを備えた表示装置として説明した。しかし、表示装置は、このものに限られるものではなく、液晶表示装置であってもよい。また、電子機器は、表示装置に限られるものではなく、例えば、プリンタヘッドのような発光装置であってもよい。
【符号の説明】
【０１８３】
１・・・表示装置、１１(i,j)・・・画素回路、ＯＬＥＤ・・・有機ＥＬ素子、Ｔ１〜Ｔ３・・・トランジスタ、Ｃs・・・キャパシタ、１４・・・データドライバ、３２(i)，３３(i)，３６(i)・・・Ｄ／Ａ変換器、３４(i)・・・電圧加算器、３５(i)・・・電圧出力部、３７(i)・・・電流出力部、１５・・・制御部
【図１】
2010217788.tif 000003
【図２】
2010217788.tif 000004
【図３】
2010217788.tif 000005
【図４】
2010217788.tif 000006
【図５】
2010217788.tif 000007
【図６】
2010217788.tif 000008
【図７】
2010217788.tif 000009
【図８】
2010217788.tif 000010
【図９】
2010217788.tif 000011
【図１０】
2010217788.tif 000012
【図１１】
2010217788.tif 000013
【図１２】
2010217788.tif 000014
【図１３】
2010217788.tif 000015